【手続補正書】
【提出日】平成17年12月7日(2005.12.7)
【手続補正１】
【補正対象書類名】明細書
【補正対象項目名】発明の名称
【補正方法】変更
【補正の内容】
【発明の名称】表示装置及びその作製方法並びに電子機器
【手続補正２】
【補正対象書類名】明細書
【補正対象項目名】特許請求の範囲
【補正方法】変更
【補正の内容】
【特許請求の範囲】
【請求項１】
基板上に、第１の配線と、第２の配線と、
ソース又はドレインの一方が前記第１の配線に電気的に接続されたトランジスタと、
第１の端子が前記トランジスタのソース又はドレインの他方に電気的に接続され、第２の端子が前記第２の配線に電気的に接続されたスイッチと、
第１の電極と第２の電極の一方が前記トランジスタのソース又はドレインの他方に電気的に接続された発光素子と、が設けられ、
前記トランジスタのゲートに信号を入力したときの前記第２の配線の電圧値又は電流値を測定することにより、前記トランジスタの動作を検査することを特徴とする表示装置。
【請求項２】
基板上に、第１の配線と、第２の配線と、
ソース又はドレインの一方が前記第１の配線に電気的に接続された第１のトランジスタと、
ソース又はドレインの一方が前記第１のトランジスタのソース又はドレインの他方に電気的に接続され、ソース又はドレインの他方が前記第２の配線に電気的に接続された第２のトランジスタと、
第１の電極と第２の電極の一方が前記第１のトランジスタのソース又はドレインの他方に電気的に接続された発光素子と、が設けられ、
前記第１のトランジスタのゲートに信号を入力したときの前記第２の配線の電圧値又は電流値を測定することにより、前記第１のトランジスタの動作を検査することを特徴とする表示装置。
【請求項３】
基板上に、第１の配線と、第２の配線と、ゲート信号線と、ソース信号線と、
ソース又はドレインの一方が前記第１の配線に電気的に接続された第１のトランジスタと、
ゲートが前記ゲート信号線に電気的に接続され、ソース又はドレインの一方が前記ソース信号線に電気的に接続され、ソース又はドレインの他方が前記第１のトランジスタのゲートに電気的に接続された第２のトランジスタと、
第１の端子が前記第１のトランジスタのソース又はドレインの他方に電気的に接続され、第２の端子が前記第２の配線に電気的に接続されたスイッチと、
第１の電極と第２の電極の一方が前記第１のトランジスタのソース又はドレインの他方に電気的に接続された発光素子と、が設けられ、
前記第１のトランジスタのゲートに信号を入力したときの前記第２の配線の電圧値又は電流値を測定することにより、前記第１のトランジスタの動作を検査することを特徴とする表示装置。
【請求項４】
基板上に、第１の配線と、第２の配線と、ゲート信号線と、ソース信号線と、
ソース又はドレインの一方が前記第１の配線に電気的に接続された第１のトランジスタと、
ゲートが前記ゲート信号線に電気的に接続され、ソース又はドレインの一方が前記ソース信号線に電気的に接続され、ソース又はドレインの他方が前記第１のトランジスタのゲートに電気的に接続された第２のトランジスタと、
ソース又はドレインの一方が前記第１のトランジスタのソース又はドレインの他方に電気的に接続され、ソース又はドレインの他方が前記第２の配線に電気的に接続された第３のトランジスタと、
第１の電極と第２の電極の一方が前記第１のトランジスタのソース又はドレインの他方に電気的に接続された発光素子と、が設けられ、
前記第１のトランジスタのゲートに信号を入力したときの前記第２の配線の電圧値又は電流値を測定することにより、前記第１のトランジスタの動作を検査することを特徴とする表示装置。
【請求項５】
基板上に、第１の配線と、第２の配線と、第１のゲート信号線と、第２のゲート信号線と、ソース信号線と、
ソース又はドレインの一方が前記第１の配線に電気的に接続された第１のトランジスタと、
ゲートが前記第１のゲート信号線に電気的に接続され、ソース又はドレインの一方が前記ソース信号線に電気的に接続され、ソース又はドレインの他方が前記第１のトランジスタのゲートに電気的に接続された第２のトランジスタと、
ゲートが前記第２のゲート信号線に電気的に接続され、ソース又はドレインの一方が前記第１の配線に電気的に接続され、ソース又はドレインの他方が前記第１のトランジスタのゲートに電気的に接続された第３のトランジスタと、
第１の端子が前記第１のトランジスタのソース又はドレインの他方に電気的に接続され、第２の端子が前記第２の配線に電気的に接続されたスイッチと、
第１の電極と第２の電極の一方が前記第１のトランジスタのソース又はドレインの他方に電気的に接続された発光素子と、が設けられ、
前記第１のトランジスタのゲートに信号を入力したときの前記第２の配線の電圧値又は電流値を測定することにより、前記第１のトランジスタの動作を検査することを特徴とする表示装置。
【請求項６】
基板上に、第１の配線と、第２の配線と、第１のゲート信号線と、第２のゲート信号線と、ソース信号線と、
ソース又はドレインの一方が前記第１の配線に電気的に接続された第１のトランジスタと、
ゲートが前記第１のゲート信号線に電気的に接続され、ソース又はドレインの一方が前記ソース信号線に電気的に接続され、ソース又はドレインの他方が前記第１のトランジスタのゲートに電気的に接続された第２のトランジスタと、
ゲートが前記第２のゲート信号線に電気的に接続され、ソース又はドレインの一方が前記第１の配線に電気的に接続され、ソース又はドレインの他方が前記第１のトランジスタのゲートに電気的に接続された第３のトランジスタと、
ソース又はドレインの一方が前記第１のトランジスタのソース又はドレインの他方に電気的に接続され、ソース又はドレインの他方が前記第２の配線に電気的に接続された第４のトランジスタと、
第１の電極と第２の電極の一方が前記第１のトランジスタのソース又はドレインの他方に電気的に接続された発光素子と、が設けられ、
前記第１のトランジスタのゲートに信号を入力したときの前記第２の配線の電圧値又は電流値を測定することにより、前記第１のトランジスタの動作を検査することを特徴とする表示装置。
【請求項７】
基板上に、第１の配線と、第２の配線と、ソース又はドレインの一方が前記第１の配線に電気的に接続されたトランジスタと、第１の端子が前記トランジスタのソース又はドレインの他方に電気的に接続され、第２の端子が前記第２の配線に電気的に接続されたスイッチと、を形成し、
前記トランジスタのゲートに信号を入力したときの前記第２の配線の電圧値又は電流値を測定し、
前記測定結果により、前記トランジスタが正常に動作することが確認された後に、第１の電極と第２の電極の一方が、前記トランジスタのソース又はドレインの他方に電気的に接続されるように、発光素子を形成することを特徴とする表示装置の作製方法。
【請求項８】
基板上に、第１の配線と、第２の配線と、ソース又はドレインの一方が前記第１の配線に電気的に接続された第１のトランジスタと、ソース又はドレインの一方が前記第１のトランジスタのソース又はドレインの他方に電気的に接続され、ソース又はドレインの他方が前記第２の配線に電気的に接続された第２のトランジスタと、を形成し、
前記第１のトランジスタのゲートに信号を入力したときの前記第２の配線の電圧値又は電流値を測定し、
前記測定結果により、前記第１のトランジスタが正常に動作することが確認された後に、第１の電極と第２の電極の一方が、前記第１のトランジスタのソース又はドレインの他方に電気的に接続されるように、発光素子を形成することを特徴とする表示装置の作製方法。
【請求項９】
基板上に、第１の配線と、第２の配線と、ゲート信号線と、ソース信号線と、ソース又はドレインの一方が前記第１の配線に電気的に接続された第１のトランジスタと、ゲートが前記ゲート信号線に電気的に接続され、ソース又はドレインの一方が前記ソース信号線に電気的に接続され、ソース又はドレインの他方が前記第１のトランジスタのゲートに電気的に接続された第２のトランジスタと、第１の端子が前記第１のトランジスタのソース又はドレインの他方に電気的に接続され、第２の端子が前記第２の配線に電気的に接続されたスイッチと、を形成し、
前記第１のトランジスタのゲートに信号を入力したときの前記第２の配線の電圧値又は電流値を測定し、
前記測定結果により、前記第１のトランジスタが正常に動作することが確認された後に、第１の電極と第２の電極の一方が、前記第１のトランジスタのソース又はドレインの他方に電気的に接続されるように、発光素子を形成することを特徴とする表示装置の作製方法。
【請求項１０】
基板上に、第１の配線と、第２の配線と、ゲート信号線と、ソース信号線と、ソース又はドレインの一方が前記第１の配線に電気的に接続された第１のトランジスタと、ゲートが前記ゲート信号線に電気的に接続され、ソース又はドレインの一方が前記ソース信号線に電気的に接続され、ソース又はドレインの他方が前記第１のトランジスタのゲートに電気的に接続された第２のトランジスタと、ソース又はドレインの一方が前記第１のトランジスタのソース又はドレインの他方に電気的に接続され、ソース又はドレインの他方が前記第２の配線に電気的に接続された第３のトランジスタと、を形成し、
前記第１のトランジスタのゲートに信号を入力したときの前記第２の配線の電圧値又は電流値を測定し、
前記測定結果により、前記第１のトランジスタが正常に動作することが確認された後に、第１の電極と第２の電極の一方が、前記第１のトランジスタのソース又はドレインの他方に電気的に接続されるように、発光素子を形成することを特徴とする表示装置の作製方法。
【請求項１１】
基板上に、第１の配線と、第２の配線と、第１のゲート信号線と、第２のゲート信号線と、ソース信号線と、ソース又はドレインの一方が前記第１の配線に電気的に接続された第１のトランジスタと、ゲートが前記第１のゲート信号線に電気的に接続され、ソース又はドレインの一方が前記ソース信号線に電気的に接続され、ソース又はドレインの他方が前記第１のトランジスタのゲートに電気的に接続された第２のトランジスタと、ゲートが前記第２のゲート信号線に電気的に接続され、ソース又はドレインの一方が前記第１の配線に電気的に接続され、ソース又はドレインの他方が前記第１のトランジスタのゲートに電気的に接続された第３のトランジスタと、第１の端子が前記第１のトランジスタのソース又はドレインの他方に電気的に接続され、第２の端子が前記第２の配線に電気的に接続されたスイッチと、を形成し、
前記第１のトランジスタのゲートに信号を入力したときの前記第２の配線の電圧値又は電流値を測定し、
前記測定結果により、前記第１のトランジスタが正常に動作することが確認された後に、第１の電極と第２の電極の一方が、前記第１のトランジスタのソース又はドレインの他方に電気的に接続されるように、発光素子を形成することを特徴とする表示装置の作製方法。
【請求項１２】
基板上に、第１の配線と、第２の配線と、第１のゲート信号線と、第２のゲート信号線と、ソース信号線と、ソース又はドレインの一方が前記第１の配線に電気的に接続された第１のトランジスタと、ゲートが前記第１のゲート信号線に電気的に接続され、ソース又はドレインの一方が前記ソース信号線に電気的に接続され、ソース又はドレインの他方が前記第１のトランジスタのゲートに電気的に接続された第２のトランジスタと、ゲートが前記第２のゲート信号線に電気的に接続され、ソース又はドレインの一方が前記第１の配線に電気的に接続され、ソース又はドレインの他方が前記第１のトランジスタのゲートに電気的に接続された第３のトランジスタと、ソース又はドレインの一方が前記第１のトランジスタのソース又はドレインの他方に電気的に接続され、ソース又はドレインの他方が前記第２の配線に電気的に接続された第４のトランジスタと、を形成し、
前記第１のトランジスタのゲートに信号を入力したときの前記第２の配線の電圧値又は電流値を測定し、
前記測定結果により、前記第１のトランジスタが正常に動作することが確認された後に、第１の電極と第２の電極の一方が、前記第１のトランジスタのソース又はドレインの他方に電気的に接続されるように、発光素子を形成することを特徴とする表示装置の作製方法。
【請求項１３】
請求項１において、
前記基板上に、前記トランジスタ、前記スイッチ及び前記発光素子を含む画素が複数設けられ、
前記複数の画素のうち第１の画素が含む前記トランジスタのソース又はドレインの一方と、前記第１の画素に隣接する第２の画素が含む前記スイッチの第２の端子は、同じ配線に電気的に接続されることを特徴とする表示装置。
【請求項１４】
請求項２において、
前記基板上に、前記第１のトランジスタ、前記第２のトランジスタ及び前記発光素子を含む画素が複数設けられ、
前記複数の画素のうち第１の画素が含む前記第１のトランジスタのソース又はドレインの一方と、前記第１の画素に隣接する第２の画素が含む前記第２のトランジスタのソース又はドレインの他方は、同じ配線に電気的に接続されることを特徴とする表示装置。
【請求項１５】
請求項３において、
前記基板上に、前記第１のトランジスタ、前記第２のトランジスタ、前記スイッチ及び前記発光素子を含む画素が複数設けられ、
前記複数の画素のうち第１の画素が含む前記第１のトランジスタのソース又はドレインの一方と、前記第１の画素に隣接する第２の画素が含む前記スイッチの第２の端子は、同じ配線に電気的に接続されることを特徴とする表示装置。
【請求項１６】
請求項４において、
前記基板上に、前記第１のトランジスタ、前記第２のトランジスタ、前記第３のトランジスタ及び前記発光素子を含む画素が複数設けられ、
前記複数の画素のうち第１の画素が含む前記第１のトランジスタのソース又はドレインの一方と、前記第１の画素に隣接する第２の画素が含む前記第３のトランジスタのソース又はドレインの他方は、同じ配線に電気的に接続されることを特徴とする表示装置。
【請求項１７】
請求項５において、
前記基板上に、前記第１のトランジスタ、前記第２のトランジスタ、前記第３のトランジスタ、前記スイッチ及び前記発光素子を含む画素が複数設けられ、
前記複数の画素のうち第１の画素が含む前記第１のトランジスタのソース又はドレインの一方と、前記第１の画素に隣接する第２の画素が含む前記スイッチの第２の端子は、同じ配線に電気的に接続されることを特徴とする表示装置。
【請求項１８】
請求項６において、
前記基板上に、前記第１のトランジスタ、前記第２のトランジスタ、前記第３のトランジスタ、前記第４のトランジスタ及び前記発光素子を含む画素が複数設けられ、
前記複数の画素のうち第１の画素が含む前記第１のトランジスタのソース又はドレインの一方と、前記第１の画素に隣接する第２の画素が含む前記第４のトランジスタのソース又はドレインの他方は、同じ配線に電気的に接続されることを特徴とする表示装置。
【請求項１９】
請求項１において、
第１の電極が前記トランジスタのゲートに電気的に接続され、第２の電極が前記第１の配線に電気的に接続された容量素子を有することを特徴とする表示装置。
【請求項２０】
請求項２乃至請求項６のいずれか１項において、
第１の電極が前記第１のトランジスタのゲートに電気的に接続され、第２の電極が前記第１の配線に電気的に接続された容量素子を有することを特徴とする表示装置。
【請求項２１】
請求項３又は請求項４において、
前記基板上に、前記ソース信号線に電気的に接続された信号線駆動回路と、前記ゲート信号線に電気的に接続された行選択線駆動回路が設けられていることを特徴とする表示装置。
【請求項２２】
請求項５又は請求項６において、
前記基板上に、前記ソース信号線に電気的に接続された信号線駆動回路と、前記第１のゲート信号線と前記第２のゲート信号線に電気的に接続された行選択線駆動回路が設けられていることを特徴とする表示装置。
【請求項２３】
請求項１乃至請求項６のいずれか１項において、
前記発光素子は、エレクトロルミネッセンス素子であることを特徴とする表示装置。
【請求項２４】
請求項１乃至請求項６又は請求項１３乃至請求項２３のいずれか１項に記載の表示装置を用いた電子機器。